(57)【要約】【課題】洗剤の補給が容易な、コイン式温泡シャワーユニットを提供すること。【解決手段】制御ユニット２０に所定金額のコインが投入され且つブース１２に設置されたスイッチ３８がオンされると前記ブース１２内の吐出手段３２から所定時間だけ温泡が噴出されるようにすると共に前記温泡噴出回数を累計し、この累計値が設定値に達すると所定の警報がなされるようにしてなる、コイン式温泡シャワーユニットを構成した。【選択図】      図４
2004321405.tif 000002
【特許請求の範囲】
【請求項１】
制御ユニットに所定金額のコインが投入され且つブースに設置されたスイッチがオンされると前記ブース内の吐出手段から所定時間だけ温泡が噴出されるようにすると共に前記温泡噴出回数を累計し、この累計値が設定値に達すると所定の表示／報知がなされるようにしてなる、コイン式温泡シャワーユニット。
【発明の詳細な説明】
【０００１】
【発明の属する技術分野】
本発明は、コイン式温泡シャワーユニットに関する。
【０００２】
【従来の技術】
入浴者の身体に対する保温性の維持並びに実効性のある節水効果を齎すことが出来る温泡バスシステムが、近年、提供されている。この温泡バスシステムは、バスタブに温泡発生装置で発生された多数の温泡を供給し、バスタブ内にいる入浴者をして満身泡囲せしめるものである（例えば、特許文献１参照）。
【０００３】
【特許文献１】
特開２０００−８３８５１号公報  （第１〜７頁、図１〜図４）
【０００４】
【発明が解決しようとする課題】
しかして、上記した温泡入浴を公衆が手軽に利用できるようにするためには、コイン式シャワーユニットをモディファイした、コイン式温泡シャワーユニットの提供が要請されるが、この要請の応えるためには、解決しなければならない問題がある。すなわち、温泡発生のためには、湯に洗剤を溶解させる必要があるが、洗剤の供給は、湯の供給と異なり、連続的に行うことが出来ないので、洗剤が費消尽くされる前に、補充が必要である。この補充を容易ならしめることが手当てされて、初めて、実用的なコイン式温泡シャワーユニットが提供されたと言い得る。
【０００５】
それ故に、本発明は、かような観点に鑑みてなされた温泡シャワーユニットを提供することを、その技術的課題とする。
【０００６】
【課題を解決するための手段】
上記した課題を解決するために講じた技術的手段は、「制御ユニットに所定金額のコインが投入され且つブースに設置されたスイッチがオンされると前記ブース内の吐出手段から所定時間だけ温泡が噴出されるようにすると共に前記温泡噴出回数を累計し、この累計値が設定値に達すると所定の表示／報知がなされるようにしてなる、コイン式温泡シャワーユニット。」を構成したことである。
【０００７】
【発明の実施の形態】
以下、添付図面に依拠して、本発明にかかるコイン式温泡シャワーユニットの実施形態について説明する。
【０００８】
図１〜図３に示すように、更衣室１０に隣接する複数のブース１２の各々には、温泡シャワー装置３０が設置される。更衣室１０の壁面には制御ユニット２０が設置される。制御ユニット２０は、投入口２２に１００円硬貨が投入されると、エントリが許可されるブース１２の番号が表示部２４に表示すると同時に、そのブース１２に設置される温泡シャワー装置３０をスタンバイの状態とする。尚、ブース１２の番号は、ブース１２の入口手前の床面に表示される。
【０００９】
制御ユニット２０は、また、投入口２２に１００円硬貨が投入され毎に、温泡シャワー装置３０の使用回数Ｎを累計する。この使用回数Ｎが所定値に達すると、警報ブザー２４（報知手段であれば、警報ランプ等のものでも良い）が鳴り、後述するように、管理者をして、石鹸の補充を慫慂せしめるようになっている。
【００１０】
更衣室１０の外側には、温泡タンク４０が設置される。温泡タンク４０内には、所定温度の石鹸温水４２が貯留されている。温泡タンク４０内には、コンプレッサ４４から圧縮空気が供給されるパイプ４６が延在しており、パイプ４６の軸方向に穿設された穴４８から空気が噴出すると、多数の温泡５０が発生するようになっている。しかして、温泡タンク４０の内部への石鹸温水４２への供給は、電磁弁５２を開くことによりなされる。すなわち、電磁弁５２の入口は、ポンプ５４を介して石鹸水５６を貯留する石鹸タンク５８と連通すると同時に、給湯器６０の吐出口とも連通している。前記したいずれかの温泡発生装置３０がスタンバイになると、給湯器６０及びポンプ５４が作動すると同時に電磁弁５２が開き、所定温度の湯及び石鹸水５６が電磁弁５２を介して、温泡タンク４０内に供給される。湯及び石鹸水５６の温泡タンク４０内への供給量は、電磁弁５２が開かれている時間を調整して、決定される。
【００１１】
温泡シャワー装置３０は、一端部にシャワーヘッド３２が接続されたホース３４を備える。ホース３４の他端部は、電磁弁３６を介して、タンク４０の内部と連通する配管７０に接続されている。温泡シャワー装置３０の前面にはボタン３６が設けられており、このボタン３８を押すと、電磁弁３６が開くと同時に、コンプレッサ４４が始動するようになっている。コンプレッサ４４の始動に伴い、圧縮空気がパイプ４６の穴４８から噴出して多数の温泡５０が発生し、この温泡５０は、圧縮空気により押し出されて、温泡シャワー装置３０に至り、シャワーヘッド３２から噴出され、使用者の身体を満身泡囲ならしむ。ボタン３８が押されてから所定時間が経過すると、コンプレッサ４４が停止すると共に、電磁弁３６が閉じられる。
【００１２】
以上のような態様で、温泡シャワー装置３０が作動する度に所定量の石鹸水が費消される。しかして、温泡シャワー装置３０の作動回数は、１００円硬貨の投入回数により累積されるようになっており、この累積回数が所定値に達すると、警報ブザー２４が鳴り、管理者に石鹸水の補充を慫慂せしめるようになっている。これにより、石鹸水の消尽による温泡シャワー装置３０の使用不能を未然に防止することが出来る。
【００１３】
上記したコイン式温泡シャワー装置３０の作動を時系列的に示せば、図４に示す流れ図のようになる。これを説明する。
【００１４】
Ｓ１０においては、１００円硬貨の投入回数を示す変数Ｎがゼロに初期化される。この処理は、コイン式温泡シャワーユニットに初めて電源が投入されたときのみになされる。
【００１５】
Ｓ２０においては、タイマーの初期値がゼロにセットされる。
【００１６】
Ｓ３０においては、１００円硬貨が投入口２２に投入されたか否かがチェックされる。具体的には、投入口２２の奥側に設置されたセンサ（図示略）が１００円硬貨を検知したか否かを判断する。
【００１７】
Ｓ３０における結果がＹＥＳの場合、Ｓ４０において、１００円硬貨の投入回数を示す変数Ｎに「１」が累加され、１００円硬貨の投入回数つまり温泡噴出回数の累計値が計算される。
【００１８】
次いで、Ｓ５０においては、石鹸温水４２の調製がなされる。すなわち、電磁弁５２が開かれ、ポンプ５４及び給湯器６０の双方がオンされて、石鹸水５６が給湯器６０からの湯に混合されて、電磁弁５２を通過して、温泡タンク４０内に石鹸温水４２として注入される。所定時間経過後、Ｓ６０において、電磁弁５２が閉じられ、ポンプ５４及び給湯器６０の双方がオフされる。
【００１９】
Ｓ７０においては、ブース１２に利用者がエントリしてスイッチ３８がオンされたか否かがチェックされる。然りの場合、Ｓ８０でタイマーがスタートする。そして、Ｓ９０において、コンプレッサ４４が始動されると共に電磁弁３６が開かれる。これにより、圧縮空気がパイプ４６の穴４８から石鹸温水４２の中に噴出して、多数の温泡５０が生成される。この温泡５０は、押し出されて、配管７０を介してシャワーヘッド３８に至り、利用者の身体に所定の圧力でもって噴射される。
【００２０】
この温泡５０のシャワーヘッド３８からの噴出が３分間なされると、つまりＳ１００においてタイマーの経過時間が３分を経過したと判断されたとき、Ｓ１１０において、コンプレッサ４４が停止されると共に電磁弁３６が閉じられる、温泡５０の発生・噴出が中止される。
【００２１】
Ｓ１２０においては、温泡噴出回数の累計値Ｎが１００を越えているか否かがチェックされ、１００以下であれば、処理はＳ２０に行く。もし、累計値Ｎが１００を越えている場合、Ｓ１３０において、警報装置２４が警報音を鳴らして管理者に石鹸水５６のタンク５８への補充を慫慂すると共に、温泡噴出回数の累計値Ｎをゼロにし、しかる後、処理はＳ２０に行く。
【００２２】
以上、本発明の実施の形態について説明したが、本発明は上述した実施の形態に限定される意図はなく、本発明の趣旨に沿った形態のコイン式温泡シャワーユニットであれば、どのようなものでもよい。
【００２３】
【発明の効果】
請求項１の発明によれば、制御ユニットに所定金額のコインが投入され且つブースに設置されたスイッチがオンされると前記ブース内の吐出手段から所定時間だけ温泡が噴出されるようにすると共に前記温泡噴出回数を累計し、この累計値が設定値に達すると所定の警報がなされるようにしてなる、コイン式温泡シャワーユニットを構成したので、温泡の原料たる石鹸水の消尽前に石鹸水の補充を可能ならしめることができ、実用上、多大の効果を奏する。
【図面の簡単な説明】
【図１】コイン式温泡シャワーユニットの配管説明図である。
【図２】図１に示すコイン式温泡シャワーユニットの内部の部分斜視図である。
【図３】温泡シャワー装置の正面図である。
【図４】コイン式温泡シャワーユニットの作動手順を示す流れ図である。
【符号の説明】
１２・・・ブース
２０・・・制御ユニット
３０・・・温泡シャワー装置
３２・・・シャワーヘッド（吐出手段）
３８・・・出泡スイッチ（スイッチ）
【図１】
2004321405.tif 000003
【図２】
2004321405.tif 000004
【図３】
2004321405.tif 000005
【図４】
2004321405.tif 000006